(57)【要約】【課題】撥水剤が剥離する等して短期間に撥水効果が低減される危険性を抑制することができる新規な撥水機能付伸縮式検電器を提供する。【解決手段】検電器本体３と伸縮パイプ７と、を備え、伸縮パイプ７は、検電器本体３に固定された第１のパイプ６と、上記第１のパイプ６の外側に配置され該第１のパイプ６の一端と離間する方向に移動させることにより該第１のパイプ６の他端側外周と一端側内周とが互いに係合する第２のパイプ１２と、上記第２のパイプ１２の他端側外周と一端側内周とが互いに係合する第３のパイプ１３と、を有してなり、上記第１のパイプ６の外周面には撥水剤からなる撥水層が形成され、検電器本体３と上記第２のパイプ１２との何れか一方又は双方には、第１のパイプ６全体が第２のパイプ１２内に位置するように縮小操作した際に検電器本体３と第２のパイプ１２の先端とをロックするロック手段が配置されてなる。【選択図】  図１
2015059864.tif 000002
【特許請求の範囲】
【請求項１】
一端に被検電路に接続される検知子を有し該被検電路の課電の有無を試験又は検査する検電器本体と、この検電器本体の他端に固定手段を介して固定された伸縮パイプと、を備え、
上記伸縮パイプは、全体がテーパ状に成形され一端が上記固定手段を介して検電器本体に固定された第１のパイプと、全体がテーパ状に成形され上記第１のパイプの外側に配置され該第１のパイプの一端と離間する方向に移動させることにより該第１のパイプの他端側外周と一端側内周とが互いに係合する第２のパイプと、全体がテーパ状に成形され上記第２のパイプの他端側外周と一端側内周とが互いに係合する第３のパイプと、を有してなり、
上記第１のパイプの外周面には撥水剤からなる撥水層が形成されてなるとともに、
上記検電器本体と上記第２のパイプとの何れか一方又は双方には、上記第１のパイプ全体が該第２のパイプ内に位置するように縮小操作した際に、該検電器本体と第２のパイプの先端とをロックするロック手段が配置されてなることを特徴とする撥水機能付伸縮式検電器。
【請求項２】
前記検電器本体の他端には第１の継手部材が固定され、前記第２のパイプの先端には第２の継手部材が固定されてなり、
前記ロック手段は、上記第１の継手部材に形成された一方のロック部と、上記第２のパイプの先端に固定され円筒状に成形された第２の継手部材に形成された他方のロック部と、から構成されてなることを特徴とする請求項１記載の撥水機能付伸縮式検電器。
【請求項３】
前記第２のパイプには、前記第２の継手部材の他端側に円筒状に形成された第３の継手部材が固定され、該第２の継手部材と第３の継手部材の内径は、前記第１のパイプの全長に亘る外径よりも大径に成形されてなるとともに、該第２の継手部材と第３の継手部材の間には、外周面の一部が該第２の継手部材と第３の継手部材の内周面から内側に露出した内径を有してなるリング状の擦傷防止材が配置されてなることを特徴とする請求項２記載の撥水機能付伸縮式検電器。
【発明の詳細な説明】
【技術分野】
【０００１】
本発明は、電路の課電を試験又は検査するために使用される検電器であって、特に伸縮パイプにより全長の長さを伸縮自在とされた撥水機能付伸縮式検電器に関するものである。
【背景技術】
【０００２】
従来、被検電路についての課電の有無を試験又は検査するための機械器具として検電器が使用されている。この検電器は、検電作業時（課電試験時）に被検電路に接続される検知子を有しており、被検電路から検電作業者が離れた場所や位置から検電作業を行うことができるようにするために、従来、検電器本体に対して伸縮可能な伸縮パイプを固定し、この伸縮パイプの基端に握り部を取り付けた伸縮式検電器が提案されている（特許文献１，２参照）。
【０００３】
ところで、上述した伸縮式検電器による被検電路についての課電の有無の試験又は検査は、雨天においても行われると、作業者が感電する場合があり、使用することができない。そこで、従来では、検電器本体を構成する筺体の下端に、上端から下端にかけて徐々に拡径されフランジ状に成形された傘部材を配置し、この傘部材の下端から雨水が落下するように構成することにより、雨水の付着による上記作業者の感電を防止する伸縮式検電器もあるが、傘部材による対策だけでは不十分である。検電器ではないが、電気工事などに使用される絶縁操作棒では、傘部材と撥水性を有する部材（撥水チューブ）を構成要素とする絶縁操作棒が提案されている（特許文献３参照）。
【先行技術文献】
【特許文献】
【０００４】
【特許文献１】特許第３５３０８１７号公報
【特許文献２】特許第３５２６４４４号公報
【特許文献３】実公平７−２２９７３号公報
【発明の概要】
【発明が解決しようとする課題】
【０００５】
しかしながら、上記伸縮式検電器においては、伸縮パイプの外周面に撥水剤を塗布したり、或いは外周に撥水剤が塗布された撥水チューブを外嵌挿させたりすると、伸縮操作時に撥水剤が剥離して撥水効果が低減し、上記作業者の感電を有効に防止できない。また、伸縮パイプの外周面に塗布された撥水剤は、例えば、作業途中において他の部材と衝突したり接触又は摺接したりすることによって、上記伸縮パイプの外周面から剥離する場合が多く、長期間使用することにより、撥水効果が低減し、上記作業者の感電を有効に防止できないことが懸念される。
【０００６】
そこで、本発明は、上述した伸縮式検電器が有する課題を解決するために提案されたものであって、伸縮パイプの外周面に塗布された撥水剤が剥離して短期間に撥水効果が低減される危険性を抑制することができ、ひいては雨天の場合であっても長期間に亘って安定的・継続的に使用することができる新規な撥水機能付伸縮式検電器を提供することを目的とするものである。
【課題を解決するための手段】
【０００７】
本発明は、上記課題を解決するために提案されたものであって、第１の発明（請求項１記載の発明）は、一端に被検電路に接続される検知子を有し該被検電路の課電の有無を試験又は検査する検電器本体と、この検電器本体の他端に固定手段を介して固定された伸縮パイプと、を備え、上記伸縮パイプは、全体がテーパ状に成形され一端が上記固定手段を介して検電器本体に固定された第１のパイプと、全体がテーパ状に成形され上記第１のパイプの外側に配置され該第１のパイプの一端と離間する方向に移動させることにより該第１のパイプの他端側外周と一端側内周とが互いに係合する第２のパイプと、全体がテーパ状に成形され上記第２のパイプの他端側外周と一端側内周とが互いに係合する第３のパイプと、を有してなり、上記第１のパイプの外周面には撥水剤からなる撥水層が形成されてなるとともに、上記検電器本体と上記第２のパイプとの何れか一方又は双方には、上記第１のパイプ全体が該第２のパイプ内に位置するように縮小操作した際に、該検電器本体と第２のパイプの先端とをロックするロック手段が配置されてなることを特徴とするものである。
【０００８】
この第１の発明に係る撥水機能付伸縮式検電器では、検電器本体と上記第２のパイプとの何れか一方又は双方には、上記第１のパイプ全体が該第２のパイプ内に位置するように縮小操作した際に、該検電器本体と第２のパイプの先端とをロックするロック手段が配置されてなることから、使用頻度が高い晴天時等（雨天以外）において被検電路の課電の有無を試験又は検査する際においては、上記ロック手段により撥水層が外周面に形成された第１のパイプを第２のパイプ内に納めた状態（第１のパイプが外部に露出しない状態）で使用することができる。この結果、検電作業途中において上記第１のパイプと他の部材とが衝突したり、或いは接触又は摺接したりすることにより、該第１のパイプの外周面に形成された撥水層（撥水剤）が剥離する頻度を相当低減することができ、長期間安定して使用することが可能となる。すなわち、本発明は、検電作業の作業頻度全体に対して、雨水が付着する雨天における作業頻度が占める割合が少ないことに着目し、雨天以外の作業においては上記撥水剤が塗布された第１のパイプを第２のパイプ内に収容し、外部に露出しない状態で作業可能とすることにより、上記撥水剤が第１のパイプの表面から剥離する危険性を回避するものである。
【０００９】
なお、上記ロック手段は、少なくとも、検電器本体と第２のパイプの先端とのロック（固定）状態が、検電作業中に解除されない程度にロックすることができる手段・構成であれば良い。すなわち、このロック手段は、例えば、上記検電器本体に一方のネジ部を設け、上記第２のパイプにはこの一方のネジ部に螺着する他方のネジ部を設け、これら一方及び他方のネジ部を互いに螺着させる構造のものや、上記検電器本体に対して、円形状の狭小溝が形成された弾性部材等を配置し、この狭小溝内に上記第２のパイプの先端側を圧入することにより、該検電器本体と第２のパイプの先端側とがロックされる構造であっても良い。また、この発明の構成する撥水剤は、上記第１のパイプの外周に直接塗布されることにより撥水層が形成されているものばかりではなく、該第１のパイプの外周に撥水チューブが外嵌挿され、この撥水チューブの外周面に撥水剤からなる撥水層が形成されているものであっても良い。
【００１０】
また、第２の発明（請求項２記載の発明）は、上記第１の発明において、前記検電器本体の他端には第１の継手部材が固定され、前記第２のパイプの先端には第２の継手部材が固定されてなり、前記ロック手段は、上記第１の継手部材に形成された一方のロック部と、上記第２のパイプの先端に固定され円筒状に成形された第２の継手部材に形成された他方のロック部と、から構成されてなることを特徴とするものである。
【００１１】
この第２の発明に係る撥水機能付伸縮式検電器では、第１の継手部材と第２の継手部材とを互いにロックする構造であることから、より強固なロック状態を実現することができる。
【００１２】
また、第３の発明（請求項３記載の発明）は、上記第２の発明において、前記第２のパイプには、前記第２の継手部材の他端側に円筒状に形成された第３の継手部材が固定され、該第２の継手部材と第３の継手部材の内径は、前記第１のパイプの全長に亘る外径よりも大径に成形されてなるとともに、該第２の継手部材と第３の継手部材の間には、外周面の一部が該第２の継手部材と第３の継手部材の内周面から内側に露出した内径を有してなるリング状の擦傷防止材が配置されてなることを特徴とするものである。
【００１３】
この第３の発明に係る撥水機能付伸縮式検電器では、上記リング状の擦傷防止材を第２のパイプ側に配置したことにより、第１のパイプと第２のパイプとの伸縮操作時において、該第１のパイプの外周面と第２のパイプの内周面とが互いに摺接することにより、上記撥水剤が剥離することをより一層防止することができる。
【発明の効果】
【００１４】
上記第１の発明（請求項１記載の発明）に係る撥水機能付伸縮式検電器によれば、使用頻度が高い雨天以外において被検電路の課電の有無を試験又は検査する際においては、上記ロック手段により撥水層が形成された第１のパイプを第２のパイプ内に納めた状態（第１のパイプが外部に露出しない状態）で使用することができる。この結果、作業途中において上記第１のパイプと他の部材とが衝突したり、或いは接触又は摺接したりすることにより、第１のパイプの外周面に形成された撥水層（撥水剤）が剥離する頻度を相当程度低減することができ、長期間安定して使用することが可能となる。
【００１５】
また、第２の発明（請求項２記載の発明）に係る撥水機能付伸縮式検電器では、第１の継手部材と第２の継手部材とを互いにロックする構造であることから、より強固なロック状態を実現することができる。
【００１６】
また、第３の発明（請求項３記載の発明）に係る撥水機能付伸縮式検電器では、上記リング状の擦傷防止材を第２のパイプ側に配置したことにより、第１のパイプと第２のパイプとの伸縮操作時において、該第１のパイプの外周面と第２のパイプの内周面とが互いに摺接することにより、上記撥水剤が剥離することをより一層防止することができる。
【図面の簡単な説明】
【００１７】
【図１】発明の実施の形態に係る撥水機能付伸縮式検電器が伸長された状態を一部破断して示す側面図である。
【図２】図１に示す撥水機能付伸縮式検電器を構成する各継手部材，第１のパイプ及び第２のパイプ等を分解して示す側断面図である。
【図３】図１に示す撥水機能付伸縮式検電器の一端側の構成を示す側断面図である。
【図４】図１に示す撥水機能付伸縮式検電器を最も縮小した状態を示す側断面図である。
【発明を実施するための形態】
【００１８】
以下、本発明を実施するための最良の形態に係る撥水機能付伸縮式検電器１を、図面を参照しながら詳細に説明する。
【００１９】
この実施の形態に係る撥水機能付伸縮式検電器１は、図１に示すように、一端（先端）に検知子２が突出してなる検電器本体３と、この検電器本体３の他端に着脱可能に固定されてなる第１の継手部材４と、一端は上記第１の継手部材４の他端側に着脱可能に固定されてなる第４の継手部材５と、この第４の継手部材５の他端側が内部に固定されてなる第１のパイプ６を含めた伸縮パイプ７（図４参照）と、を備えてなるものである。
【００２０】
上記検知子２は、導電性材料により成形されてなるものであり、検電作業時（課電試験時）に被検電路に接続される部位である。また、この検知子２を構成要素としている上記検電器本体３は、筺体（符号は省略する。）が構成要素とされ該筺体の内部には、図示しない回路基板や電池が収容され、上記回路基板には、上記電池から供給された電源により動作する図示しない検出回路部，入力抵抗，検出回路，整形回路，発振回路等が形成されている。また、上記筺体には、上記発振回路に接続された発光部８と図示しない発音部が配置されている。
【００２１】
また、上記検電器本体３の他端側には、図示しない一方のネジ部が形成され、上記第１の継手部材４の一端側には図示しない他方のネジ部が形成され、この第１の継手部材４は、上記他方のネジ部を上記一方のネジ部に螺着することにより固定されている。また、この第１の継手部材４は、ポリカーボネート等の樹脂により一体成形されてなるものであって、この実施の形態に係る撥水機能付伸縮式検電器１では、検電器本体３からこの第１の継手部材４を取り外すことにより、上記検電器本体３内に収納された電池を出したり入れたりすることができるように構成されている。また、図１又は図２に示すように、この第１の継手部材４の外周にはリング状に外側に膨出した凸状部４ａが形成されてなるとともに、該凸状部４ａが形成された位置よりも他端側（後述する第１のパイプ６側）には、リング状の凹溝４ｂが形成されている。そして、このリング状の凹溝４ｂ内にはゴム又は軟性樹脂等の弾性変形可能な素材により一体成形されたＯリング９が外嵌挿されている。
【００２２】
また、上記第１の継手部材４の一端側外周には、雨切傘部材１０が固定されている。この雨切傘部材１０は、ゴム又は合成樹脂等の弾性変形可能な素材により一体成形されてなるものであり、図３に示すように、上記第１の継手部材４に固定された固定部１０ａと、この固定部１０ａの内径よりも拡径されてなるとともに後述する第７のパイプ１７の一端側の外径よりも大径とされた内径を有する傘部１０ｂとを有してなるものである。また、この雨切傘部材１０の内周には、上記固定部１０ａが形成された位置よりも他端側に、上記凸状部４ａに係合する係合面１０ｃが形成されている。そして、上記傘部１０ｂの内周面と上記第１の継手部材４の内周面との間には、後述する第７のパイプ１７の先端側が圧入される圧入空間とされており、上記Ｏリング９の外周面の一部は、この圧入空間内に露出している。
【００２３】
また、上記第１の継手部材４の他端面には、図２又は図３に示すように、この第１の継手部材４の軸芯と同じ軸芯となされた筒状部４ｃが形成されてなるとともに、この筒状部４ｃの外周面には、一方のネジ４ｄが形成されている。またさらに、この第１の継手部材４の他端側中央であって上記筒状部４ｃの内側には、凹部４ｅが形成され、この凹部４ｅの内周面には内周ネジ４ｆが形成されている。
【００２４】
そして、上記第１の継手部材４を構成する上記凹部４ｅには、上記第４の継手部材５が螺着されている。これにより、第１のパイプに塗布された撥水剤が、経年劣化などにより剥離し、撥水効果が低減した場合に、交換することができる。この第４の継手部材５は、ポリカーボネート等の合成樹脂により一体成形されてなるものであり、一端側（先端側）外周には、上記内周ネジ４ｆに螺着する外周ネジ５ａが形成されている。また、この第４の継手部材５の他端側は、図３に示すように、上記伸縮パイプ７を構成する第１のパイプ６の一端側の内部に挿入されてなるとともに該第１のパイプ６とは図示しない接着剤により接着固定されている。また、図２に示すように、この第４の継手部材５の中途部であって上記外周ネジ５ａの形成位置と上記第１のパイプ６内に挿入される部位との間には、上記第１の継手部材４を構成する筒状部４ｃの端面に正面が当接するフランジ部５ｂが形成されている。なお、この第４の継手部材５の周面であって、上記第１のパイプ６内に挿入される部位には、上記接着剤が充填される二つの小径部５ｃ，５ｃがやや間隔を隔てて形成されている。
【００２５】
次に、上記伸縮パイプ７について説明する。この実施の形態に係る撥水機能付伸縮式検電器１では、図１又は図４に示すように、一端に上記第４の継手部材５が固定された第１のパイプ６と、この第１のパイプ６の外側に配置されてなる第２のパイプ１２と、この第２のパイプ１２の外側に配置されてなる第３のパイプ１３と、この第３のパイプ１３の外側に配置されてなる第４のパイプ１４と、この第４のパイプ１４の外側に配置されてなる第５のパイプ１５と、この第５のパイプ１５の外側に配置されてなる第６のパイプ１６と、この第６のパイプ１６の外側に配置されてなる第７のパイプ１７とを備えている。なお、上記第７のパイプ１７の外周には、作業者が把持する握り部材１８が固定されている。
【００２６】
そして、上記第１ないし第７のパイプ６，１２・・・１７は、何れもＦＲＰにより成形されてなるものであってそれぞれ一端（先端）側から他端（基端）側に亘って緩やかなテーパ状に成形されている。すなわち、第１ないし第７のパイプ６，１２・・・１７は、それぞれ同一の肉厚とされてなるとともに、一端側から他端側に亘って徐々に拡径されている。そして、上記第１のパイプ６の外周面には外周に撥水剤が塗布された撥水チューブ（符号は省略する。）が密着されている。また、この第１のパイプ６の他端には、エンドキャップ２６が装着されている。
【００２７】
また、上記第２のパイプ１２の一端（先端）側には、図１又は図３に示すように、第３の継手部材２４が固定され、この第３の継手部材２４の先端には、第２の継手部材２３が螺着され、該第３の継手部材２４と第２の継手部材２３との間には、Ｏリング２５（本発明を構成するリング状の擦傷防止材）が配置されている。上記第３の継手部材２４は、ポリカーボネート等の合成樹脂により略円筒状に一体成形されてなるものであり、図２に示すように、他端側には、上記第２のパイプ１２の一端（先端）側から挿入され接着剤により固定される第１の筒状部２４ａが形成されている。この第１の筒状部２４ａの内径は、上記第１のパイプ６の他端側の外径よりも僅かに大径とされている。そして、この第１の筒状部２４ａから該第３の継手部材２４の一端側には、外径が上記第２のパイプ１２の外径と同じ寸法とされ、内径は第１のパイプ６の外径よりも大径とされた第２の筒状部２４ｂが形成されている。またさらに、この第２の筒状部２４ｂの隣（第３の継手部材２４の一端）には、第３の筒状部２４ｃが形成されている。この第３の筒状部２４ｃの外径は、上記第２の筒状部２４ｂ  の外径と同一であり、内径は該第２の筒状部２４ｂよりもさらに大径とされているとともに、この内周面には内側ネジ（符号は省略する。）が形成されている。
【００２８】
また、上記第２の継手部材２３は、ポリカーボネート等の合成樹脂により略円筒状に一体成形されてなるものであり、内径は、上記第１の継手部材４に形成された筒状部４ｃの外径よりも僅かに大径に成形されてなるとともに、内周面には、該筒状部４ｃに形成された一方のネジ４ｄに螺着される他方のネジ２３ａが形成されている。なお、上記一方のネジ４ｄは、本発明を構成する一方のロック部であり、上記他方のネジ２３ａは、本発明を構成する他方のロック部である。また、この第２の継手部材２３の他端側外周には縮径部２３ｂが形成され、この縮径部２３ｂの外周面には、上記第３の継手部材２４（の第３の筒状部２４ｃの内周面）に形成された内側ネジに螺着される外側ネジ（符号は省略する。）が形成されている。なお、上記第２のパイプ１２の他端から上記第２の継手部材２３の一端までの長さは、上記第１のパイプ６の全長よりもやや長尺とされている。
【００２９】
そして、上記Ｏリング２５は、ゴム等の擦傷防止材によりリング状に成形されてなるものであり、上記第３の継手部材２４に形成された第２の筒状部２４ｂの内側と上記第２の継手部材２３の他端面とにより閉塞された空間内に収容されているとともに、内周は、この空間内から僅かに内側に露出している。また、上記第１のパイプ６の他端に装着されたエンドキャップ２６は、上記第１のパイプ６の他端側が内部に収容される円筒部２６ａと、該第１のパイプ６の他端側の開口（符号は省略する。）を閉塞する円形状の閉塞部２６ｂとから構成されてなるとともに、外径は、第２のパイプ１２の先端よりもやや他端側の内径と同じ内径とされている。
【００３０】
したがって、上記第１のパイプ６の他端を第２のパイプ１２の一端側に移動させると、やがて、図３に示すように、上記エンドキャップ２６の外周面と第２のパイプ１２の一端側内周面とが係合し、それ以上さらに伸長することが不能となる。なお、このように、第１のパイプ６と第２のパイプ１２とを伸長する際においては、上記Ｏリング２５の内周は、この空間内から僅かに内側に露出していることから、上述した伸長操作の際も、後述する縮小操作の際にも、上記第２の継手部材２３や第３の継手部材２４の内周面、さらには第２のパイプ１２の内周面が、上記第１のパイプ６の外周面（撥水剤が塗布された面）に摺接し、該撥水剤が剥離することを防止できる。
【００３１】
そして、図３又は図１に示す状態（伸長時）から、上記第２のパイプ１２の先端と検電器本体３とが相対的に互いに近付くように、第１のパイプ６又は第２のパイプ１２を操作すると、徐々に第１のパイプ６の一端と第２のパイプ１２の一端とは距離が縮まり、やがて上記第１の継手部材４に形成された筒状部４ｃの一方のネジ４ｄと、上記第２の継手部材２３に形成された他方のネジ２３ａとが当接し、この状態において、該第２の継手部材２３（第２のパイプ１２）と検電器本体３（第１の継手部材４）とを相対的に回動操作すると、上記一方のネジ４ｄと他方のネジ２３ａとが互いに螺着し、この結果、上記第２のパイプ１２の先端（第２の継手部材２３）が上記第１の継手部材４にロックされる。この際、上記第１のパイプ６全体は、上記第２の継手部材２３を含めた第２のパイプ１２の内側に位置することとなる。
【００３２】
なお、上記第２のパイプ１２以降に配置された第３ないし第７のパイプ１３・・・１７は、これまで実施された伸縮パイプと同じように伸縮することができる構造とされており、図１に示すように、上記握り部材１８の他端には、キャップ取付部材３１が固定され、このキャップ取付部材３１には、大型エンドキャップ３２が螺着されている。そして、この大型エンドキャップ３２には、空気穴（符号は省略する。）が形成され、上記伸縮パイプ７の伸縮動作をする際に、この空気穴を介して内部の空気が出たり入ったりすることにより、該伸縮動作に抵抗が生じないように構成され、また、伸縮パイプ７内に雨水が侵入した場合にも、この空気穴を介して外部に排出できるようにされている。また、この伸縮パイプ７全体を最も縮小した場合においては、図４に示すように、上記第７のパイプ１７の先端は、上記雨切傘部材１０を構成する傘部１０ｂの内周面と上記第１の継手部材４の外周面との間に形成された圧入空間に圧入され、この圧入状態が上記Ｏリング９の外周面により維持される。
【００３３】
このように、上述した実施の形態に係る撥水機能付伸縮式検電器１によれば、第１のパイプ６の外周面に撥水剤からなる撥水層を形成した場合であっても、雨天ではない日においては、上述した通り、第２のパイプ１２の先端（第２の継手部材２３）を上記第１の継手部材４にロックさせて使用することにより、第１のパイプ６が外部に露出することはないことから、上記撥水剤が剥離して短期間に撥水効果が低減される危険性を有効に抑制することができる。特に、この実施の形態に係る撥水機能付伸縮式検電器１では、上記第２の継手部材２３と第３の継手部材２４との間には、上記Ｏリング２５が配置され、このＯリング２５の内周は、該第２の継手部材２３と第３の継手部材２４との内周よりも僅かに内側に露出していることから、上述した第１のパイプ６と第２のパイプ１２との伸長操作の際も、縮小操作の際にも、上記第２の継手部材２３や第３の継手部材２４の内周面、さらには第２のパイプ１２の内周面が、上記第１のパイプ６の外周面（撥水剤が塗布された面）に摺接して該撥水剤が剥離することを防止でき、よりいっそう上記撥水剤の剥離を防止することができる。
【００３４】
なお、上記実施の形態に係る撥水機能付伸縮式検電器１では、本発明を構成するロック手段として、上記一方のネジ４ｄと他方のネジ２３ａとの螺着により、第１の継手部材４と第２のパイプ１２（の第２の継手部材２３）とをロック（固定）する構造を図示して説明したが、本発明に係るロック手段は、このように、一方のネジ４ｄと他方のネジ２３ａとを螺着することなく、縮小方向に第２のパイプ１２を第１の継手部材４に移動操作させることによりワンタッチで第２のパイプ１２がロックされ、逆方向に移動させることによりそのロック状態が解除される構造を採用したものであっても良い。
【符号の説明】
【００３５】
１  撥水機能付伸縮式検電器
２  検知子
３  検電器本体
４  第１の継手部材
５  第４の継手部材
６  第１のパイプ
７  伸縮パイプ
１２  第２のパイプ
１３  第３のパイプ
２３  第２の継手部材
２４  第３の継手部材
２５  Ｏリング
【図１】
2015059864.tif 000003
【図２】
2015059864.tif 000004
【図３】
2015059864.tif 000005
【図４】
2015059864.tif 000006